(57)【特許請求の範囲】
【請求項１】
雄桟木（１）と雌桟木（２）とを互いに連結して構成される瓦桟であって、
前記雄桟木として、合成樹脂からなる棒状の桟木本体（１２）に、その長さ方向の伸縮を吸収する弾性変形部（１０）を設け、当該桟木本体の一端に雄連結片（１３）を凸設したものを採用し、前記雌桟木として、合成樹脂からなる棒状の桟木本体（２２）に、その長さ方向の伸縮を吸収する弾性変形部（２０）を設け、当該桟木本体の一端に雌連結片（２４）を凹設したものを採用し、
雄桟木（１）および雌桟木（２）の桟木本体（１２、２２）の裏面にそれぞれ複数個の楕円状の脚部（１８、２８）を形成し、これら脚部間に鼓形の通水路（１９、２９）を形成したことを特徴とする瓦桟。
【請求項２】
雄桟木（１）および雌桟木（２）の各脚部（１８、２８）に対応させて桟木本体（１２、２２）の表面に釘着マーク（１５、２５）を付したことを特徴とする請求項１に記載の瓦桟。
【発明の詳細な説明】
【０００１】
【発明の属する技術分野】
本発明は、瓦と瓦下地材との間に横向きに載置する瓦桟に関するものである。
【０００２】
【従来の技術】
従来、木造住宅などの建物において瓦屋根を施工する際には、所定長さ（例えば、２ｍ）の瓦桟を必要本数だけ瓦下地材上に横向きに釘着して設置し、これら瓦桟上に瓦を留め付けている。このとき、気温の変化に伴って各瓦桟が熱膨張・熱収縮して長さ方向に伸縮するため、これら瓦桟間に所定長さ（通常、５〜１０ｍｍ程度）の設置間隔を設けていた。
【０００３】
【発明が解決しようとする課題】
しかし、瓦桟間の設置間隔が狭すぎると、両方の瓦桟が伸縮したとき互いに当接または干渉するため、瓦桟が瓦下地材から浮き上がるように変形して、瓦桟を瓦下地材に留め付けている釘が抜けたり、瓦が浮いてしまう危険性がある。逆に、瓦桟間の設置間隔が広すぎても、一部の瓦の固定強度が不足する恐れがある。そのため、こうした不都合を避けるべく瓦桟間の設置間隔を施工現場で厳格に管理しなければならない面倒があった。
また、特に長尺の瓦桟においては、気温変化に伴って反りが発生しやすいという欠点もあった。
【０００４】
本発明は、このような事情に鑑み、気温変化に伴う変形に起因する不具合（釘抜け、瓦の浮き、反り）を阻止すると同時に、すべての瓦を強固に留め付けることが可能な瓦桟を提供することを目的とする。
【０００５】
【課題を解決するための手段】
まず、本発明のうち請求項１に係る発明は、雄桟木（１）と雌桟木（２）とを互いに連結して構成される瓦桟であって、前記雄桟木として、合成樹脂からなる棒状の桟木本体（１２）に、その長さ方向の伸縮を吸収する弾性変形部（１０）を設け、当該桟木本体の一端に雄連結片（１３）を凸設したものを採用し、前記雌桟木として、合成樹脂からなる棒状の桟木本体（２２）に、その長さ方向の伸縮を吸収する弾性変形部（２０）を設け、当該桟木本体の一端に雌連結片（２４）を凹設したものを採用し、雄桟木（１）および雌桟木（２）の桟木本体（１２、２２）の裏面にそれぞれ複数個の楕円状の脚部（１８、２８）を形成し、これら脚部間に鼓形の通水路（１９、２９）を形成して構成される。
【０００６】
こうした構成を採用することにより、瓦桟が雄桟木と雌桟木とに二分されているため、気温の変化に伴う瓦桟の反りがほぼ半減するとともに、雄桟木および雌桟木の桟木本体にそれそれ弾性変形部が設けられているので、気温の上昇に伴って桟木本体が熱膨張したとき、桟木本体の弾性変形部が桟木本体の長さ方向に収縮することで桟木本体の弾性変形部以外の部分の伸長が吸収される一方、気温の低下に伴って桟木本体が熱収縮したとき、桟木本体の弾性変形部が桟木本体の長さ方向に伸長することで桟木本体の弾性変形部以外の部分の収縮が吸収されるように作用する。
【０００７】
また、上記雄桟木（１）および上記雌桟木（２）の桟木本体（１２、２２）の裏面にそれぞれ複数個の楕円状の脚部（１８、２８）を形成し、これら脚部間に鼓形の通水路（１９、２９）を形成しているので、瓦屋根の施工後に瓦と瓦下地材との間で結露水が発生したとしても、その結露水は雄桟木および雌桟木の通水路を通って瓦下地材上を流れ落ちるように作用する。
【０００８】
さらに、本発明のうち請求項２に係る発明は、上記雄桟木（１）および上記雌桟木（２）の各脚部（１８、２８）に対応させて桟木本体（１２、２２）の表面に釘着マーク（１５、２５）を付して構成される。かかる構成により、瓦桟を瓦下地材上に釘着するとき、雄桟木や雌桟木を裏返さなくても脚部の位置、すなわち釘着すべき位置が判然とするように作用する。
【０００９】
なお、括弧内の符号は図面において対応する要素を表す便宜的なものであり、したがって、本発明は図面上の記載に限定拘束されるものではない。このことは「特許請求の範囲」の欄についても同様である。
【００１０】
【発明の実施の形態】
以下、本発明の実施形態を図面に基づいて説明する。
図１は本発明に係る瓦桟の一実施形態の雄桟木を示す図であって、（ａ）はその平面図、（ｂ）はその正面図、（ｃ）はその底面図、（ｄ）はその左側面図、図２は本発明に係る瓦桟の一実施形態の雌桟木を示す図であって、（ａ）はその平面図、（ｂ）はその正面図、（ｃ）はその底面図、（ｄ）はその右側面図である。
【００１１】
この瓦桟は、図１および図２に示すように、互いに連結される雄桟木１および雌桟木２を有している。
【００１２】
まず、雄桟木１は、図１に示すように、所定長さ（例えば、１ｍ）の角棒状に成型された合成樹脂製の桟木本体１２を有している。桟木本体１２の一端（図１左端）には雄連結部１３が凸設されており、雄連結部１３はブロック状の連結体１３ｃを有している。連結体１３ｃの先端近傍の両側面には係止突起１３ａが１個ずつ形成されており、連結体１３ｃの先端には２本のスリット１３ｂが形成されている。また、桟木本体１２には、その長さ方向の伸縮を吸収する弾性変形部１０が凹設されており、この弾性変形部１０は桟木本体１２と比べて断面が小さいので、瓦桟に圧縮力や引張力が作用すると、その応力は弾性変形部１０に集中することになる。また、桟木本体１２の裏面には複数個の楕円形の脚部１８が形成されており、これら脚部１８間には鼓形の通水路１９が形成されている。さらに、桟木本体１２の表面には十文字溝状の釘着マーク１５が複数個、図１（ａ）に示すように、各脚部１８に対応する形で付されている。
【００１３】
他方、雌桟木２は、図２に示すように、所定長さ（例えば、１ｍ）の角棒状に成型された合成樹脂製の桟木本体２２を有している。桟木本体２２の一端（図２右端）には雌連結部２４が凹設されており、雌連結部２４は連結穴２４ｂを有している。連結穴２４ｂの奥部近傍の両側面には係止孔２４ａが１個ずつ形成されており、各係止孔２４ａに対して雄連結部１３の各係止突起１３ａは所定のクリアランスで係合するため、雄桟木１の雄連結部１３と雌桟木２の雌連結部２４とは桟木本体１２、２２の長さ方向に所定の遊びを維持しつつ連結された状態となっている。また、桟木本体２２には、その長さ方向の伸縮を吸収する弾性変形部２０が凹設されており、この弾性変形部２０は桟木本体２２と比べて断面が小さいので、瓦桟に圧縮力や引張力が作用すると、その応力は弾性変形部２０に集中することになる。また、桟木本体２２の裏面には複数個の楕円形の脚部２８が形成されており、これら脚部２８間には鼓形の通水路２９が形成されている。さらに、桟木本体２２の表面には十文字溝状の釘着マーク２５が複数個、図２（ａ）に示すように、各脚部２８に対応する形で付されている。
【００１４】
そして、このような構成を有する瓦桟を用いて瓦屋根を施工する際には、まず必要本数の瓦桟を瓦下地材（図示せず）上に横向きに釘着して設置する。それには、各瓦桟の雄桟木１および雌桟木２を瓦下地材上に載置し、いくつかの釘着マーク１５、２５に釘を打ち込んで瓦下地材に固定する。すると、すべての瓦桟は雄桟木１および雌桟木２の脚部１８、２８に釘が打ち込まれる形で瓦下地材にしっかりと取り付けられる。
【００１５】
このとき、各釘着マーク１５、２５は各脚部１８、２８に対応しているので、桟木本体１２、２２を裏返さなくても脚部１８、２８の位置、すなわち釘着すべき位置が判然とし、そのため瓦桟を適宜な場所に強力に固定することができ、作業効率も向上する。
【００１６】
こうして瓦下地材上に瓦桟が設置されたところで、これら瓦桟上に瓦（図示せず）を留め付ける。ここで、瓦屋根の施工が完了する。
【００１７】
こうして施工された瓦屋根においては、各瓦桟の雄桟木１および雌桟木２に通水路１９、２９が形成されているので、瓦と瓦下地材との間で結露が発生しても、その結露水は通水路１９、２９を通って瓦下地材に沿って流れ落ちるため、結露水の溜まりに起因する不具合（瓦下地材の腐食など）は起きない。
【００１８】
また、気温の上昇に伴って各瓦桟が熱膨張したときには、桟木本体１２、２２の弾性変形部１０、２０に応力集中して桟木本体１２、２２の長さ方向に収縮することで桟木本体１２、２２の弾性変形部１０、２０以外の部分の伸長が吸収され、逆に気温の低下に伴って各瓦桟が熱収縮したときは、桟木本体１２、２２の弾性変形部１０、２０に応力集中して桟木本体１２、２２の長さ方向に伸長することで桟木本体１２、２２の弾性変形部１０、２０以外の部分の収縮が吸収されることから、気温が変化しても瓦桟の全長が伸縮する事態は生じない。しかも、瓦桟は雄桟木１と雌桟木２とに二分されているため、気温の変化に伴う瓦桟の反りはほぼ半減することになる。それらの結果、瓦桟間の設置間隔がゼロであっても、瓦桟の変形に起因する不具合（釘抜け、瓦の浮き、反り）は発生しない。
【００１９】
さらに、雄桟木１の雄連結部１３と雌桟木２の雌連結部２４とは桟木本体１２、２２の長さ方向に所定の遊びを維持しつつ連結されているので、気温の変化に伴って雄桟木１および雌桟木２の桟木本体１２、２２が伸縮しても、この伸縮は雄連結部１３と雌連結部２４との遊びによって吸収される結果、気温変化に伴う伸縮に対処することが可能となる。
【００２０】
なお、上述の実施形態においては、合成樹脂製の桟木本体１２、２２を有する雄桟木１、雌桟木２について説明したが、桟木本体１２、２２の材質はこれに限るわけではなく、合成樹脂に各種の増量剤（例えば、発泡剤、フライアッシュ、木粉など）を混合してコストダウンを実現することも可能である。また、雄桟木１、雌桟木２の製造方法は特に限定されるものではなく、押出成型、プレス成型、射出成型のいずれの成型方法を用いて製造してもよい。
【００２１】
また、上述の実施形態では、雄連結部１３の連結体１３ｃの先端近傍の両側面に係止突起１３ａを１個ずつ形成するとともに、雌連結部２４の連結穴２４ｂの奥部近傍の両側面に係止孔２４ａを１個ずつ形成した場合について説明したが、これら係止突起１３ａ、連結穴２４ｂの個数は複数個ずつでも構わない。
【００２２】
さらに、上述の実施形態では、桟木本体１２、２２に弾性変形部１０、２０を１個だけ設けた瓦桟について説明したが、桟木本体１２、２２の長さや熱膨張率の大小その他に応じて複数個の弾性変形部１０、２０を設けることも勿論できる。さらに、弾性変形部１０、２０の形状は、図１に示すものに限るわけではなく、これ以外の形状を備えた弾性変形部１０、２０を採用することも可能である。
【００２３】
【発明の効果】
以上説明したように、本発明のうち請求項１に係る発明によれば、瓦桟が雄桟木と雌桟木とに二分されているため、気温の変化に伴う瓦桟の反りがほぼ半減するとともに、雄桟木および雌桟木の桟木本体にそれそれ弾性変形部が設けられているので、気温の上昇に伴って桟木本体が熱膨張したとき、桟木本体の弾性変形部が桟木本体の長さ方向に収縮することで桟木本体の弾性変形部以外の部分の伸長が吸収される一方、気温の低下に伴って桟木本体が熱収縮したとき、桟木本体の弾性変形部が桟木本体の長さ方向に伸長することで桟木本体の弾性変形部以外の部分の収縮が吸収されることから、気温変化に伴う変形に起因する不具合（釘抜け、瓦の浮き、反り）を阻止すると同時に、すべての瓦を強固に留め付けることが可能な瓦桟を提供することができる。
【００２４】
また、瓦屋根の施工後に瓦と瓦下地材との間で結露水が発生したとしても、その結露水は雄桟木および雌桟木の通水路を通って瓦下地材上を流れ落ちるため、結露水の溜まりに起因する不具合（瓦下地材の腐食など）を避けることが可能となる。
【００２５】
さらに、本発明のうち請求項２に係る発明によれば、瓦桟を瓦下地材上に釘着するとき、雄桟木や雌桟木を裏返さなくても脚部の位置、すなわち釘着すべき位置が判然とすることから、瓦桟を適宜な場所に強力に固定することができ、作業効率も向上する。
【図面の簡単な説明】
【図１】本発明に係る瓦桟の一実施形態の雄桟木を示す図であって、（ａ）はその平面図、（ｂ）はその正面図、（ｃ）はその底面図、（ｄ）はその左側面図である。
【図２】本発明に係る瓦桟の一実施形態の雌桟木を示す図であって、（ａ）はその平面図、（ｂ）はその正面図、（ｃ）はその底面図、（ｄ）はその右側面図である。
【符号の説明】
１……雄桟木
２……雌桟木
１０、２０……弾性変形部
１２、２２……桟木本体
１３……雄連結片
１５、２５……釘着マーク
１８、２８……脚部
１９、２９……通水路
２４……雌連結片
【図１】
0003695419.tif 000002
【図２】
0003695419.tif 000003